(57)【要約】【課題】    本考案の目的は、位置決めの操作性の改善を図った使用勝手の良好な折れ線形成用カッターを提供するものである。【解決手段】    折れ線形成用カッターＫは、長手方向に長い長手形状の本体１と、この本体１の長手方向に沿うと共に、一定間隔で本体１に設けられた複数の被係合部２と、この複数の被係合部２を跨いで、本体１の長手方向に沿って移動する移動体３と、この移動体３に回動自在に取り付けられた蓋４と、この蓋４の回動支持部５の近い側の端部に設けられ、被係合部２に係合する係合部４１と、本体１に取り付けられた刃６とを備え、蓋４を回動して、蓋４の上面４Ｘと本体１とのなす角度が略９０°で係合部４１を被係合部２に係合させ、移動体３の移動を阻止し、蓋４の上面４Ｘに平行な下面４Ｙの部位を被加工体１００に当接させ、移動体３を移動させて刃６で被加工体１００に折れ線１００Ｙが形成されるものである。【選択図】図５
0003233354.tif 000002
【実用新案登録請求の範囲】
【請求項１】
長手方向に長い長手形状の本体と、
この本体の長手方向に沿うと共に、一定間隔で前記本体に設けられた複数の被係合部と、
この複数の被係合部を跨いで、前記本体の長手方向に沿って移動する移動体と、
この移動体に回動自在に取り付けられた蓋と、
この蓋の回動支持部の近い側の端部に設けられ、前記被係合部に係合する係合部と、
前記本体に取り付けられた刃とを備え、
前記蓋を回動して、前記蓋の上面と前記被係合部を有する前記本体とのなす角度が略９０°で前記係合部を前記被係合部に係合させ、前記移動体の移動を阻止し、前記蓋の上面に平行な下面の部位を被加工体に当接させ、前記移動体を移動させて前記刃で前記被加工体に折れ線が形成される
ことを特徴とする折れ線形成用カッター。
【請求項２】
本体に前記本体の長手方向を横断するように複数の凸部が設けられ、
被係合部は、前記複数の凸部の隣接する前記凸部と前記凸部の間の窪みである
ことを特徴とする請求項1記載の折れ線形成用カッター。
【請求項３】
折れ線形成用カッターの不使用時、移動体を刃の近傍へ移動させ、前記刃を前記移動体の蓋で覆う
ことを特徴とする請求項1記載の折れ線形成用カッター。
【請求項４】
刃は本体の他方の端部より前記本体の一方の端部に近い側に設けられ、
前記刃と前記他方の端部との間の前記本体の部位に、移動体が前記刃へ接触するのを防止する第１のストッパーが設けられ、
前記一方の端部と前記刃との間の前記本体の部位に、前記移動体が前記一方の端部から前記他方の端部の方向へ移動するのを防止する第２のストッパーが設けられ、
折れ線形成用カッターの不使用時、前記蓋で前記刃、前記第２のストッパーが覆われている
ことを特徴とする請求項1記載の折れ線形成用カッター。
【請求項５】
刃は本体の他方の端部より前記本体の一方の端部に近い側に設けられ、
前記刃と前記他方の端部との間の前記本体の部位に、移動体が前記刃へ接触するのを防止する第１のストッパーが設けられ、
前記一方の端部と前記刃との間の前記本体の部位に、前記移動体が前記一方の端部から前記他方の端部の方向へ移動するのを防止する第２のストッパーが設けられ、
蓋の上面は、平面視、時計回りにＡＢＣＤの略四角形状をなし、
ＣＤは、ＡＢより前記蓋の回動支持部の遠い側に位置し、
前記蓋の上面のＢＣに接続され、ＢＣより垂下する略四角形は、ＢＣＣ’Ｂ’の側面であり、
前記蓋の上面のＣＤに接続され、ＣＤより垂下する略四角形は、ＣＤＤ’Ｃ’の側面であり、
前記蓋の上面のＤＡに接続され、ＤＡより垂下する略四角形は、ＤＡＡ’Ｄ’の側面であり、
折れ線形成用カッターの不使用時、前記蓋で前記刃、前記第２のストッパーが覆われている
ことを特徴とする請求項1記載の折れ線形成用カッター。
【考案の詳細な説明】
【技術分野】
【０００１】
本考案は、折れ線形成用カッターに係り、特に、位置決めの操作性の改善を図った使用勝手の良好な折れ線形成用カッターに関する。
【背景技術】
【０００２】
従来、段ボール箱のフラップの端面から所定長さ位置で容易に折ることができるように、折れ線を形成するための器具として折れ線形成用カッターがある(特許文献１参照)。
より具体的には、「使用状態を示す参考図」に示すように、フラップの端面にデプス調整部を当接させた状態で、刃部をフラップに押し当てつつ握り部を把持して、フラップの端面が伸びる方向（図中紙面直角方向）に移動させることにより、刃部によって折れ線が形成される。折れ線の形成位置は、デプス調整部と刃部との間隔Ｌに対応した位置とされる。  デプス調整部は、本体レールに摺動可能で、本体レール内には裏当て板（スライダ）が摺動自在に嵌合されている。デプス調整部に螺合された操作ノブを一方向に回転操作して、裏当て手板を本体レールに押しつけることにより、デプス調整部が本体レールに固定される。操作ノブを他方向に回転操作することにより、裏当て板の本体レールに対する固定が解除される。デプス調整部の本体レールに対する位置を変更することにより、上記間隔Ｌが変更されるものである。
【先行技術文献】
【特許文献】
【０００３】
【特許文献１】意匠登録第１６１７０９９号公報
【考案の概要】
【考案が解決しようとする課題】
【０００４】
しかしながら、上記記載のものにあっては、所定の位置決めのために、操作ノブを一方向に回転操作しなければならず、使用勝手が良好でないという問題点が生じた。
【０００５】
本考案は、上記の問題点を考慮してなされた折れ線形成用カッターを提供することにある。
【課題を解決するための手段】
【０００６】
請求項１記載の折れ線形成用カッターは、長手方向に長い長手形状の本体と、この本体の長手方向に沿うと共に、一定間隔で前記本体に設けられた複数の被係合部と、この複数の被係合部を跨いで、前記本体の長手方向に沿って移動する移動体と、この移動体に回動自在に取り付けられた蓋と、この蓋の回動支持部の近い側の端部に設けられ、前記被係合部に係合する係合部と、前記本体に取り付けられた刃とを備え、前記蓋を回動して、前記蓋の上面と前記被係合部を有する前記本体とのなす角度が略９０°で前記係合部を前記被係合部に係合させ、前記移動体の移動を阻止し、前記蓋の上面に平行な下面の部位を被加工体に当接させ、前記移動体を移動させて前記刃で前記被加工体に折れ線が形成されるものである。
【０００７】
また、請求項２記載の折れ線形成用カッターは、請求項１記載の折れ線形成用カッターにおいて、本体に前記本体の長手方向を横断するように複数の凸部が設けられ、被係合部は、前記複数の凸部の隣接する前記凸部と前記凸部の間の窪みである。
【０００８】
また、請求項３記載の折れ線形成用カッターは、請求項１記載の折れ線形成用カッターにおいて、折れ線形成用カッターの不使用時、移動体を刃の近傍へ移動させ、前記刃を前記移動体の蓋で覆うものである。
【０００９】
また、請求項４記載の折れ線形成用カッターは、請求項１記載の折れ線形成用カッターにおいて、刃は本体の他方の端部より前記本体の一方の端部に近い側に設けられ、前記刃と前記他方の端部との間の前記本体の部位に、移動体が前記刃へ接触するのを防止する第１のストッパーが設けられ、前記一方の端部と前記刃との間の前記本体の部位に、前記移動体が前記一方の端部から前記他方の端部の方向へ移動するのを防止する第２のストッパーが設けられ、折れ線形成用カッターの不使用時、前記蓋で前記刃、前記第２のストッパーが覆われているものである。
【００１０】
また、請求項５記載の折れ線形成用カッターは、請求項１記載の折れ線形成用カッターにおいて、刃は本体の他方の端部より前記本体の一方の端部に近い側に設けられ、前記刃と前記他方の端部との間の前記本体の部位に、移動体が前記刃へ接触するのを防止する第１のストッパーが設けられ、前記一方の端部と前記刃との間の前記本体の部位に、前記移動体が前記一方の端部から前記他方の端部の方向へ移動するのを防止する第２のストッパーが設けられ、蓋の上面は、平面視、時計回りにＡＢＣＤの略四角形状をなし、ＣＤは、ＡＢより前記蓋の回動支持部の遠い側に位置し、前記蓋の上面のＢＣに接続され、ＢＣより垂下する略四角形は、ＢＣＣ’Ｂ’の側面であり、前記蓋の上面のＣＤに接続され、ＣＤより垂下する略四角形は、ＣＤＤ’Ｃ’の側面であり、前記蓋の上面のＤＡに接続され、ＤＡより垂下する略四角形は、ＤＡＡ’Ｄ’の側面であり、折れ線形成用カッターの不使用時、前記蓋で前記刃、前記第２のストッパーが覆われているものである。
【考案の効果】
【００１１】
請求項１記載の折れ線形成用カッターによれば、従来のように、操作ノブを一方向に回転操作することなく、蓋を回動して、蓋の上面と被係合部を有する本体とのなす角度が略９０°で係合部を被係合部に係合させれば、移動体の移動を阻止でき、前記蓋の上面に平行な下面の部位を被加工体に当接させ、前記移動体を移動させて刃で前記被加工体に折れ線を容易に形成して、使用勝手を向上させることができる。
【００１２】
また、請求項２記載の折れ線形成用カッターによれば、上述した請求項１記載の考案の効果に加え、本体に前記本体の長手方向を横断するように複数の凸部が設けられ、被係合部は、前記複数の凸部の隣接する前記凸部と前記凸部の間の窪みであるため、簡易な手段で被係合部を形成でき、しかも、移動体が所定位置に達した時点で、蓋の係合部を本体側に回動させて隣接する凸部と凸部の間の窪みである被係合部に容易に係合させて、使用勝手を向上させることができる。
【００１３】
また、請求項３記載の折れ線形成用カッターによれば、上述した請求項１記載の考案の効果に加え、折れ線形成用カッターの不使用時、移動体を刃の近傍へ移動させ、前記刃を前記移動体の蓋で覆うため、刃による損傷を防ぐことができる。
【００１４】
また、請求項４記載の折れ線形成用カッターによれば、上述した請求項１記載の考案の効果に加え、折れ線形成用カッターの不使用時、蓋で刃、第２のストッパーが覆われているため、移動体の本体の他方の端部から一方の端部への動きを第１のストッパーで、移動体の本体の一方の端部から他方の端部への動きを第２のストッパーで、移動体の動きを阻止して、蓋で刃を覆い刃による損傷を防ぐことができる。
【００１５】
また、請求項５記載の折れ線形成用カッターによれば、上述した請求項１記載の考案の効果に加え、折れ線形成用カッターの不使用時、蓋で刃、第２のストッパーが覆われているため、移動体の本体の他方の端部から一方の端部への動きを第１のストッパーで、移動体の本体の一方の端部から他方の端部への動きを第２のストッパーで、移動体の動きを阻止して、蓋で刃を覆い刃による損傷を防ぐことができ、加えて、蓋の側面は、蓋の側面を蓋の上面に接続されたＢＣＣ’Ｂ’の側面、ＣＤＤ’Ｃ’の側面、ＤＡＡ’Ｄ’の側面で構成して、蓋の強度を向上させることができる。
【図面の簡単な説明】
【００１６】
【図１】図１は、本考案の一実施例の折れ線形成用カッターを正面から見た３Ｄ画像である。
【図２】図２は、図５のＡ−Ａ線による断面の３Ｄ画像である。
【図３】図３は、図２の一部を拡大した３Ｄ画像である。
【図４】図４は、図１の折れ線形成用カッターを右側面側から見た３Ｄ画像である。
【図５】図５は、図１の折れ線形成用カッターを左側面側から見た３Ｄ画像である。
【図６】図６は、図１の折れ線形成用カッターを右側面側から見た３Ｄ画像である。
【図７】図７は、図１の折れ線形成用カッターを平面側から見た３Ｄ画像である。
【図８】図８は、図１の折れ線形成用カッターを底面側から見た３Ｄ画像である。
【図９】図９は、図１の折れ線形成用カッターを正面斜め上から見た３Ｄ画像である。
【図１０】図１０は、図１の折れ線形成用カッターを背面斜め上から見た３Ｄ画像である。
【図１１】図１１は、図１の折れ線形成用カッターの使用状態を示す３Ｄ画像である。
【図１２】図１２は、図１１を斜め下から見た３Ｄ画像である。
【図１３】図１３は、図１１を左斜め上から見た３Ｄ画像である。
【図１４】図１４は、図１の折れ線形成用カッターの使用状態の写真である。
【図１５】図１５は、図１の折れ線形成用カッターにより被加工体（例えば、段ボール）の内側に折れ線を形成した状態の概略的図である。
【図１６】図１６は、図１５の折れ線に沿って折り曲げた状態を示す概略的図である。
【考案を実施するための形態】
【００１７】
本考案の一実施例の折れ線形成用カッターを図１乃至図１６を参照して説明する。
【００１８】
図1に示すＫは折れ線形成用カッターで、折れ線形成用カッターＫは、例えば、図１５に示す被加工体（例えば、段ボール）１００の内側に折れ線を形成し、形成後、折れ線に沿って折り曲げ、被加工体（例えば、段ボール）１００をコンパクト（段ボール１００の高さＨ１からＨ２とすることができる。Ｈ１＞Ｈ２）にするために使用するものである（図１６参照）。
【００１９】
折れ線形成用カッターＫは、長手方向に長い長手形状の本体１と、この本体１の長手方向に沿うと共に、一定間隔で本体１に設けられた複数の被係合部２と、この複数の被係合部２を跨いで、本体１の長手方向に沿って移動する移動体３と、この移動体３に回動自在に取り付けられた蓋４と、この蓋４の回動支持部５の近い側の端部に設けられ、被係合部２に係合する係合部４１と、本体１に取り付けられた刃６とを備えている。
【００２０】
被加工体（例えば、段ボール）１００の内側に図１４〜図１５に示す位置に折れ線を付けるには、蓋４の上面４Ｘに平行な下面４Ｙと刃６との寸法Ｈ１−Ｈ２に合うように、移動体３を移動させる。
移動後、蓋４を回動して、蓋４の上面４Ｘと被係合部２を有する本体１とのなす角度が略９０°で係合部４１を被係合部２に係合させ（図１１〜図１３）、移動体３の移動を阻止し、蓋４の上面４Ｘに平行な下面４Ｙの部位を被加工体１００に当接（当接部位１００Ｘ）させ、本体１を移動（移動方向は、図１４に示す→方向）させて刃６で被加工体１００に折れ線１００Ｙ（図１４参照）が形成される。
なお、刃６は、図１４に示す矢印方向のみならず、図１４に示す矢印方向と反対方向へ本体１を移動しても、折れ線１００Ｙが形成できるように、山形形状となっている。そして、折れ線形成用カッターＫにより被加工体（例えば、段ボール）１００の内側に折れ線を形成し、被加工体（例えば、段ボール）１００の四隅を所定長さ切断する。その後、折れ線１００Ｙに沿って段ボール１００のフラップの端面から（Ｈ１−Ｈ２）分折り曲げて、図１６に示すように、段ボール箱をコンパクトにすることができる。
【００２１】
従って、上述した折れ線形成用カッターＫによれば、従来のように、操作ノブを一方向に回転操作することなく、蓋４を回動して、蓋４の上面４Ｘと被係合部２を有する本体１とのなす角度が略９０°で係合部４１を被係合部２に係合させれば、移動体３の移動を阻止でき、蓋４の上面４Ｘに平行な下面４Ｙの部位を被加工体１００に当接させ、移動体３を移動させて刃６で被加工体１００に折れ線１００Ｙを容易に形成して、使用勝手を向上させることができる。
【００２２】
上述したように、本体１に本体１の長手方向を横断するように複数の凸部２１が設けられ、被係合部２は、複数の凸部２１の隣接する凸部２１と凸部２１の間の窪み２２である。
そのため、簡易な手段で被係合部２を形成でき、しかも、移動体３が所定位置に達した時点で、蓋４の係合部４１を本体１側に回動させて隣接する凸部２１と凸部２１の間の窪み２２である被係合部２に容易に係合させて、使用勝手を向上させることができる。
【００２３】
また、図３に示すように、折れ線形成用カッターＫの不使用時、移動体３を刃６の近傍へ移動させ、刃６を移動体３の蓋４で覆うようにして、刃６による損傷を防ぐようにしている。
【００２４】
また、刃６は本体１の他方の端部１Ｘより本体１の一方の端部１Ｙに近い側に設けられ、刃６と他方の端部１Ｘとの間の本体１の部位に、移動体３が刃６へ接触するのを防止する第１のストッパーＳ１が設けられ、一方の端部１Ｙと刃６との間の本体１の部位に、移動体３が一方の端部１Ｙから他方の端部１Ｘの方向へ移動するのを防止する第２のストッパーＳ２が設けられ、折れ線形成用カッターＫの不使用時、図３に示すように、蓋４で刃６、第２のストッパーＳ２が覆われている。
【００２５】
また、図５に示すように、蓋４の上面４Ｘは、平面視、時計回りにＡＢＣＤの略四角形状をなしている。また、図３及び図５に示すように、ＣＤは、ＡＢより蓋３の回動支持部５の遠い側に位置している。
また、図１に示すように、蓋４の上面４ＸのＢＣに接続され、ＢＣより垂下する略四角形は、ＢＣＣ’Ｂ’の側面であり、また、図１２に示すように、蓋４の上面４ＸのＣＤに接続され、ＣＤより垂下する略四角形は、ＣＤＤ’Ｃ’の側面であり、蓋４の上面４ＸのＤＡに接続され、ＤＡより垂下する略四角形は、ＤＡＡ’Ｄ’の側面である。
そして、折れ線形成用カッターＫの不使用時、図２及び図３に示すように、蓋４で刃６、第２のストッパーＳ２が覆われている。なお、望ましくは、図３に示すように、蓋４の第２のストッパーＳ２と当接する部位４２で、蓋４、
第２のストッパーＳ２の内、いずれか一方の弾性力を利用して、蓋４の部位４２を第２のストッパーＳ２に係合させるようにしても良い。
【符号の説明】
【００２６】
Ｋ         折れ線形成用カッター
１         本体
２         被係合部
３         移動体
４         蓋
４Ｘ       上面
４Ｙ       下面
４１       係合部
５         回動支持部
６         刃
１００     被加工体
１００Ｙ   折れ線
【図１】
0003233354.tif 000003
【図２】
0003233354.tif 000004
【図３】
0003233354.tif 000005
【図４】
0003233354.tif 000006
【図５】
0003233354.tif 000007
【図６】
0003233354.tif 000008
【図７】
0003233354.tif 000009
【図８】
0003233354.tif 000010
【図９】
0003233354.tif 000011
【図１０】
0003233354.tif 000012
【図１１】
0003233354.tif 000013
【図１２】
0003233354.tif 000014
【図１３】
0003233354.tif 000015
【図１４】
0003233354.tif 000016
【図１５】
0003233354.tif 000017
【図１６】
0003233354.tif 000018